(57)【特許請求の範囲】
【請求項１】
携帯端末装置を露出させた状態で収容する端末収容部と、
前記端末収容部の端部と接続されて前記端末収容部を前記携帯端末装置の使用者に保持する収容保持部と、
前記端部と前記収容保持部との接続部を回転軸とする前記端末収容部の回転範囲を規制する回転規制部と
を有し、
前記収容保持部は、前記使用者に取り付けられる取付部を有し、
前記取付部は、前記使用者に取り付けられたときに、前記端部が前方に迫り出して傾斜状態となるように前記端部に対応する位置に土手形状部を有することを特徴とする携帯端末用ケース。
【請求項２】
携帯端末装置を露出させた状態で収容する端末収容部と、
前記端末収容部の端部と接続されて前記端末収容部を前記携帯端末装置の使用者に保持する収容保持部と、
前記端部と前記収容保持部との接続部を回転軸とする前記端末収容部の回転範囲を規制する回転規制部と、
前記携帯端末装置を露出させた状態で収納する端末収納部、及び、前記携帯端末装置を前記端末収納部に収納した際に前記携帯端末装置に備えられた撮像部のレンズの配置位置に設けられた半透明部を有する携帯端末用カバーと、
を有し、
前記端末収容部は、前記携帯端末装置を収納した前記端末収納部を収容することを特徴とする携帯端末用ケース。
【請求項３】
前記収容保持部は、前記使用者に取り付けられる取付部を有すること
を特徴とする請求項２に記載の携帯端末用ケース。
【請求項４】
前記携帯端末装置が露出する露出面と前記取付部が形成された面の裏面とを向い合わせ、前記収容保持部に対して前記端末収容部を閉じた閉状態に維持する閉状態維持部を有すること
を特徴とする請求項１又は３に記載の携帯端末用ケース。
【請求項５】
前記取付部は、
前記使用者に取り付けられたときに、前記端部が前方に迫り出して傾斜状態となるように前記端部に対応する位置に土手形状部を有すること
を特徴とする請求項３又は４に記載の携帯端末用ケース。
【請求項６】
前記端末収容部は、前記携帯端末装置を露出する開口部を有すること
を特徴とする請求項１から５までのいずれか一項に記載の携帯端末用ケース。
【請求項７】
前記携帯端末用カバーは、前記携帯端末装置を露出する開口部を有すること
を特徴とする請求項２記載の携帯端末用ケース。
【発明の詳細な説明】
【技術分野】
【０００１】
本発明は、携帯端末装置を収容する携帯端末用ケースに関する。
【背景技術】
【０００２】
近年、携帯端末装置は、ネットワークを介した情報の授受や画像の表示が可能になるなど高機能化するに伴い、業務用途においても様々な分野で利用が拡大している。こうした携帯端末装置を業務に利用する場合、業務作業に際して、落としたり作業の邪魔にならないよう携行を容易にする必要がある。特許文献１には、身体に装着するなどして携帯端末装置の携行を容易にする携帯端末ホルダーについて開示されている。この携帯端末ホルダーは、携帯端末装置を使用者の身体に装着しつつ携帯端末装置の各部を露出させるので、使用者は簡単に携帯端末装置を操作できる。
【先行技術文献】
【特許文献】
【０００３】
【特許文献１】特開２０１３−１９２０８５号公報
【発明の概要】
【発明が解決しようとする課題】
【０００４】
携帯端末装置を業務作業に利用する場合、携帯端末装置に例えば作業手順などの情報を表示させれば、これを参照しながら作業を行うことができる。使用者は、特許文献１に開示された携帯端末ホルダーを使用すると、携帯端末装置に表示された情報を参照するために携帯端末装置を片手で保持しなければならない。両手の自由を確保しつつ携帯端末装置に表示された情報を参照可能に保持することが望まれる。
【０００５】
本発明は、使用者が手で携帯端末装置を保持しなくても、携帯端末装置に表示された情報を参照することを可能にする携帯端末用ケースを提供することを目的とする。
【課題を解決するための手段】
【０００６】
上記目的を達成するために、本発明の一態様による携帯端末用ケースは、携帯端末装置を露出させた状態で収容する端末収容部と、前記端末収容部の端部と接続されて前記端末収容部を前記携帯端末装置の使用者に保持する収容保持部と、前記端部と前記収容保持部との接続部を回転軸とする前記端末収容部の回転範囲を規制する回転規制部とを有することを特徴とする。
【発明の効果】
【０００７】
本発明の一態様によれば、使用者が手で携帯端末装置を保持しなくても、携帯端末装置に表示された情報を参照することが可能になる。
【図面の簡単な説明】
【０００８】
【図１】本発明の一実施形態による携帯端末用ケースの使用態様を説明する図（その１）である。
【図２】本発明の一実施形態による携帯端末用ケースの使用態様を説明する図（その２）である。
【図３】本発明の一実施形態による携帯端末用ケースの外観斜視図である。
【図４】本発明の一実施形態による携帯端末用ケースの外観斜視図であって、携帯端末用ケースへの携帯端末用カバーの挿入について説明する図である。
【図５】本発明の一実施形態による携帯端末用ケースに設けられた携帯端末用カバーの外観斜視図であって、携帯端末用カバーへの携帯端末装置の挿入について説明する図である。
【図６】本発明の一実施形態による携帯端末用ケースの正面図である。
【図７】本発明の一実施形態による携帯端末用ケースの背面図である。
【図８】本発明の一実施形態による携帯端末用ケースの外観斜視図であって、端末収容部の開状態を示す図である。
【図９】本発明の一実施形態による携帯端末用ケースに備えられた携帯端末用カバーの正面図（その１）である。
【図１０】本発明の一実施形態による携帯端末用ケースに備えられた携帯端末用カバーの正面図（その２）である。
【図１１】本発明の一実施形態による携帯端末用ケースに備えられた携帯端末用カバーの背面図である。
【発明を実施するための形態】
【０００９】
本発明の一実施形態による携帯端末用ケースについて図１から図１１を用いて説明する。本実施形態による携帯端末用ケースは、種々の携帯端末装置に利用できるが、以下、家屋などの保守や警備などを行う警備員の使用する携帯端末装置を例にとって説明する。
【００１０】
＜携帯端末用ケースの使用態様＞
まず、本実施形態による携帯端末用ケース１の使用態様について図１及び図２を用いて説明する。図１及び図２に示すように、携帯端末用ケース１は、警備員（使用者の一例）が着用しているベストＢの一部に取り付けられて使用される。警備員が携帯端末装置ＭＴを使用しない場合には、図１に示すように、携帯端末用ケース１は、携帯端末装置ＭＴを収容する端末収容部３を収容保持部５（いずれも詳細は後述）に向い合わせた閉状態で使用される。一方、警備員が携帯端末装置ＭＴを使用する場合には、図２に示すように、携帯端末用ケース１は、端末収容部３が収容保持部５に対して回転した開状態で使用される。携帯端末用ケース１は、閉状態及び開状態のいずれの状態においても警備員のベストＢの胴体部Ｂ１及び肩紐部Ｂ２に固定されている。さらに、携帯端末用ケース１が開状態では、端末収容部３は収容保持部５に対してほぼ９０°の角度に回転した状態で維持される。これにより、端末収容部３に形成された開口部３２（詳細は後述）に露出する携帯端末装置ＭＴの表示画面ＭＴｄがほぼ上方に向けられる。このため、警備員は、両手の自由が確保された状態で、すなわち携帯端末装置ＭＴを手で保持せずに、表示画面ＭＴｄに表示された情報を見ることができるので作業効率が向上する。
【００１１】
＜携帯端末用ケースの構成＞
次に、本実施形態による携帯端末用ケースの構成について図１及び図２を参照しつつ図３から図５を用いて説明する。以下、説明の便宜上、携帯端末用ケース１及び携帯端末用カバー７（詳細は後述）の装着時に警備員に対向しない側を「正面側」と称し、装着時に警備員に対向する側を「背面側」と称し、警備員の肩側を「上側」と称し、警備員の胴体側を「下側」と称する場合がある。
【００１２】
図３に示すように、携帯端末用ケース１は、携帯端末装置ＭＴを露出させた状態で収容する端末収容部３と、端末収容部３の端部（下側の端部）と接続されて端末収容部３を携帯端末装置ＭＴの使用者（警備員）に保持する収容保持部５とを有している。また、携帯端末用ケース１は、端末収容部３の端部と収容保持部５との接続部４を回転軸とする端末収容部３の回転範囲を規制する回転規制部８（図２参照）を有している。収容保持部５は、警備員に取り付けられる取付部５１を有している。携帯端末用ケース１は、閉状態維持部９ａ，９ｂ、貼付部５１ｂ，７９及び半透明部７３（いずれも詳細は後述）を除き、合成皮革で形成されている。端末収容部３、収容保持部５及び取付部５１の具体的構成は後述する。
【００１３】
図４に示すように、携帯端末用ケース１は、携帯端末装置ＭＴを収納する携帯端末用カバー７を有している。携帯端末用カバー７は、携帯端末装置ＭＴを露出させた状態で収納する端末収納部７１と、携帯端末装置ＭＴを端末収納部７１に収納した際に、携帯端末装置ＭＴに備えられた撮像部の背面レンズＭＴｌ（以下、単に「レンズＭＴｌ」と称する）の配置位置に設けられてレンズＭＴｌを覆う半透明部７３とを有している。
【００１４】
また、図５に示すように、携帯端末用カバー７の端末収納部７１は、携帯端末装置ＭＴを収納するための収納口７１０を有している。図５中に直線矢印で示すように、携帯端末装置ＭＴは、レンズＭＴｌが設けられていない側の端部から収納口７１０に挿入されて端末収納部７１に収納される。携帯端末用カバー７は、収納口７１０を塞ぐ蓋部７２を有している。半透明部７３は蓋部７２に設けられている。
【００１５】
図４に戻って、図４中に直線矢印で示すように、携帯端末用カバー７は、端末収納部７１の長手方向端部のうち、蓋部７２が設けられていない端部から端末収容部３に挿入され、半透明部７３が飛び出した状態で端末収容部３に収容される（図３参照）。
【００１６】
携帯端末装置ＭＴが端末収納部７１に収納されると、携帯端末装置ＭＴの上側の側面は収納口７１０とほぼ面一に配置される。携帯端末用カバー７は、端末収納部７１に携帯端末装置ＭＴが収納された状態で蓋部７２によって収納口７１０を塞ぐようになっている。これにより、携帯端末用カバー７は、携帯端末装置ＭＴが端末収納部７１から飛び出すのを防止することができる。携帯端末用カバー７の具体的構成は後述する。
【００１７】
＜携帯端末用ケースの具体的構成＞
次に、携帯端末用ケース１の具体的構成について図１から図４を参照しつつ図６から図８を用いて説明する。
【００１８】
図６及び図８に示すように、携帯端末用ケース１に備えられた端末収容部３は、収容保持部５（図３参照）とは反対側（すなわち正面側）に張り出して携帯端末装置ＭＴ（図３参照）が挿入される挿入部３１を有している。挿入部３１は、正面視で、端末収容部３の下側から約３／５の領域を占めている。挿入部３１は、携帯端末用カバー７の厚さよりも若干短い長さ分だけ収容保持部５とは反対側に張り出して形成されている。挿入部３１は、一側面を開放する開放端３１０を有し、携帯端末装置ＭＴを挿入できる大きさに形成された袋状を有している。端末収容部３は、合成皮革で形成され、弾力性を有している。このため、挿入部３１に挿入される携帯端末用カバー７は、挿入部３１を押し広げながら挿入部３１内に挿入される。携帯端末用カバー７は、挿入部３１に挿入された後は、挿入部３１から元の大きさに戻ろうとする力を受ける。このため、携帯端末用カバー７と挿入部３１との間に生じる摩擦力により、携帯端末用カバー７は、警備員が携帯端末用カバー７を引き出す力を加えない限り挿入部３１から抜けないようになっている。また、挿入部３１は、開放端３１０に対向する側面にこの側面を貫通する貫通穴３１１を有している。貫通穴３１１は、挿入部３１の内部空間と、携帯端末用ケース１の周囲空間とを連通している。これにより、貫通穴３１１は、携帯端末装置ＭＴ（携帯端末用カバー７）を挿入部３１に挿入する際に、挿入部３１と携帯端末装置ＭＴ（携帯端末用カバー７）とにより囲まれる空間の空気を周囲空間に逃がすための空気穴として機能する。
【００１９】
端末収容部３は、収容保持部５側（すなわち背面側）に携帯端末装置ＭＴを露出する開口部３２を有している。開口部３２は、端末収容部３を閉状態としたときに、収容保持部５に対向する対向部３１２に形成されている。携帯端末装置ＭＴが露出する側であって開口部３２を含む対向部３１２の面が露出面Ｆ３１３となる。開口部３２の一部は、挿入部３１に対向して配置されている。開口部３２は、端末収容部３に携帯端末装置ＭＴを収容した際に、例えば携帯端末装置ＭＴの表示画面ＭＴｄの全体が露出する広さに形成されている。これにより、警備員は、携帯端末装置ＭＴを端末収容部３に収容しても表示画面ＭＴｄに表示された情報を参照できる。
【００２０】
端末収容部３は、正面視で、挿入部３１より対向部３１２の方が大きく形成されている。このため、警備員は、挿入部３１の開放端３１０近傍の対向部３１２に携帯端末装置ＭＴの端部を突き当てた上で、携帯端末装置ＭＴを開放端３１０から挿入部３１に挿入することができる。これにより、携帯端末用ケース１は、対向部３１２を挿入部３１に携帯端末装置ＭＴを挿入するための案内部として機能させ、携帯端末装置ＭＴを容易に挿入部３１に挿入させることができるようになっている。対向部３１２の上側端部は、両方の角部が傾斜した台形状を有している。収容保持部５の上側端部も対向部３１２の上側端部と同形状に形成されている（図７参照）。このため、挿入部３１に携帯端末用カバー７を挿入すると、携帯端末用カバー７の両角部が端末収容部３及び収容保持部５から突出する。このため、携帯端末用カバー７を端末収容部３に着脱する際に、端末収容部３及び収容保持部５が邪魔にならず、警備員は、携帯端末用カバー７を、端末収容部３に容易に挿入したり端末収容部３から容易に取り出したりすることができる。
【００２１】
図７及び図８に示すように、収容保持部５に備えられた取付部５１は、警備員の服の一部であるベストＢの肩紐部Ｂ２（図１及び図２参照）に引っ掛けられる引掛け部５１ａと、ベストＢの胴体部Ｂ１に貼り付けられる貼付部５１ｂとを有している。
引掛け部５１ａは帯形状を有している。引掛け部５１ａは、両端部が収容保持部５の一端側に取り付けられている。引掛け部５１ａは、収容保持部５にアーチ状に取り付けられており、引掛け部５１ａと収容保持部５の一端側との間に肩紐部Ｂ２を挿通させることにより、収容保持部５を肩紐部Ｂ２に引っ掛けることができる。
【００２２】
貼付部５１ｂは、収容保持部５のほぼ半分の領域に広がって設けられた土手形状を有している。貼付部５１ｂは、警備員の側（背面側）に向けられた面Ｆ５１１（「取付部が形成された面」の一例）から所定の高さに形成されている。貼付部５１ｂは、背面視で、例えば面ファスナーをほぼ全面に有し、胴体部Ｂ１の一部に設けられた面ファスナーに対して着脱可能になっている。携帯端末用ケース１は、引掛け部５１ａ及び貼付部５１ｂの２つの手段によってベストＢに取り付けられるので、引掛け部５１ａ及び貼付部５１ｂの一方がベストＢから外れても他方で取付状態を保持できる。このように、取付部５１は、携帯端末用ケース１がベストＢから落下するのを防止できる。また、携帯端末用ケース１は、収容保持部５の上部に配置された引掛け部５１ａと、収容保持部５の下部に配置された貼付部５１ｂとによってベストＢに取り付けられるため、携帯端末用ケース１がベストＢに対して揺れ動くことを防止できる。これにより、携帯端末用ケース１は、警備員の姿勢に拘わらず常に一定の状態でベストＢに保持されるようになる。
【００２３】
貼付部５１ｂが土手形状を有しているため、収容保持部５を警備員のベストＢに取り付けると、収容保持部５の背面のうち下方となる貼付部５１ｂがベストＢに当接し、収容保持部５の背面の他の部分がベストＢから離間する。また、収容保持部５の背面のうち上方となる引掛け部５１ａがベストＢの肩紐部Ｂ２と当接する。このため、引掛け部５１ａをベストＢの肩紐部Ｂ２に引っ掛けた状態で貼付部５１ｂをベストＢに貼り付けると、土手形状の貼付部５１ｂの当接面がベストＢの肩から胸にかけての傾斜面に沿うように、携帯端末用ケース１の下部が前方に迫り出した傾斜状態に携帯端末用ケース１の姿勢が調整される。このように、取付部５１は、使用者（警備員）に取り付けられたときに、携帯端末用ケース１の下部であって接続部４側の端末収容部３の端部が前方に迫り出して傾斜状態となるようにこの端部に対応する位置に土手形状部（すなわち貼付部５１ｂ）を有している。これにより、端末収容部３を開状態にしたときに、携帯端末装置ＭＴの表示画面ＭＴｄが水平よりも警備員側に向くように携帯端末用ケース１の姿勢が維持されて、警備員は表示画面ＭＴｄを視認し易くなる。
【００２４】
また、肩紐部Ｂ２付近に別の装備が取り付けられてこの装備の重さによって肩紐部Ｂ２が前方に傾斜していたとしても、収容保持部５の下部に位置する貼付部５１ｂが土手形状により前方に迫り出しているため、上側端部が前方に倒れるように収容保持部５が傾くことを防ぐことができる。これにより、端末収容部３を開状態にしたときに、表示画面ＭＴｄが水平よりも警備員側に向くように携帯端末用ケース１の姿勢を維持して、警備員が表示画面ＭＴｄを視認し易くすることができる。
【００２５】
図８に示すように、携帯端末用ケース１は、端末収容部３に設けられた閉状態維持部９ａと、収容保持部５に設けられた閉状態維持部９ｂとを有している。閉状態維持部９ａは、対向部３１２の露出面Ｆ３１３に設けられ、閉状態維持部９ｂは、収容保持部５の面Ｆ５１３に設けられている。閉状態維持部９ａ，９ｂは例えば面ファスナーで構成されている。閉状態維持部９ａ，９ｂは、端末収容部３を閉状態にしたときに、互いに対向する位置に設けられている。このため、端末収容部３を閉状態にすると、閉状態維持部９ａ及び閉状態維持部９ｂが重ね合わされて端末収容部３が収容保持部５に貼り付けられる。これにより、携帯端末用ケース１は、図１に示す閉状態となる。閉状態維持部９ａ，９ｂは、面ファスナーで構成されているため、外部から力が加わらない限り端末収容部３を閉状態に維持する。また、警備員が閉状態維持部９ａを閉状態維持部９ｂから引き離すための外力を加えると、閉状態維持部９ａ，９ｂはこの外力に抗することができず、端末収容部３は開状態から閉状態に移行する。
【００２６】
回転規制部８は、端末収容部３の端部と収容保持部５とが接続される接続部４の近傍に設けられている。開口部３２が形成された対向部３１２と、収容保持部５とは一続きの部材で形成されており、この部材の折れ曲がり部が接続部４となる。回転規制部８は帯形状を有している。回転規制部８の一端は端末収容部３に取り付けられ、回転規制部８の他端は収容保持部５に取り付けられている。回転規制部８は、開口部３２を挟んで携帯端末用ケース１の両側に設けられている。回転規制部８は、長手方向のほぼ中央で折り曲がるための折曲部８１を有している。折曲部８１は、端末収容部３を閉状態にしたときに、２つの回転規制部８が互いに近付くように折れ曲がるようになっている。これにより、回転規制部８は、端末収容部３を閉状態にしたときに、折曲部８１で折り曲げられて端末収容部３と収容保持部５との間に挟まれ、携帯端末用ケース１の外部に飛び出さない（図１参照）。
【００２７】
端末収容部３は、閉状態維持部９ａ，９ｂを引き離すと、自重によって接続部４を回転軸として収容保持部５から遠ざかる方向に回転する。回転規制部８は、端末収容部３及び収容保持部５に跨って取り付けられているため、端末収容部３の回転動作に従って折曲部８１が伸びた状態となり、最終的に直線形状となる（図８参照）。これにより、回転規制部８は、端末収容部３及び収容保持部５との間に張り渡された状態となる。回転規制部８は、携帯端末用カバー７に収納された携帯端末装置ＭＴを収容した端末収容部３の重量に対して伸びない剛性を有している。このため、回転規制部８は、端末収容部３が回転して直線形状になると、端末収容部３の回転動作を停止させる。このように、回転規制部８は、収容保持部５に対する端末収容部３の回転範囲を規制するようになっている。回転規制部８は、収容保持部５に対する端末収容部３の回転範囲を９０°以下に抑える。
【００２８】
図６に戻って、端末収容部３は、開口部３２の上方であって対向部３１２に形成された貫通穴３１４を有している。貫通穴３１４は、携帯端末装置ＭＴを端末収容部３に収容した際に、携帯端末装置ＭＴの正面レンズ及び表示画面ＭＴｄの明るさを調整するための照度センサが配置される場所に形成されている。これにより、貫通穴３１４に正面レンズ及び照度センサが露出するので、携帯端末用ケース１に携帯端末装置ＭＴを収納した状態でも正面レンズを用いた撮影が可能になるとともに、表示画面ＭＴｄの明るさを環境照度に合わせた状態とすることができる。
【００２９】
＜携帯端末用カバーの具体的構成＞
次に、携帯端末用カバー７の具体的構成について図１から図５を参照しつつ図９から図１１を用いて説明する。
図９に示すように、携帯端末用カバー７は、携帯端末装置ＭＴを収納するための端末収納部７１の一部に覆い被さる蓋部７２を有している。図１０に示すように、端末収納部７１は、携帯端末装置ＭＴ（図５参照）の差し込み口となる収納口７１０を有している。携帯端末装置ＭＴは、収納口７１０を介して端末収納部７１内に収納されるようになっている。端末収納部７１の収納空間は、携帯端末装置ＭＴより若干大きく形成され、携帯端末装置ＭＴを収容できるようになっている。蓋部７２は、収納口７１０の一方の長辺側端部から伸びて形成された台形状を有している。蓋部７２は、背面側から正面側に向かって折り曲げられ、収納口７１０上を塞ぎつつ、端末収納部７１の一部に覆い被さるようになっている。端末収納部７１及び蓋部７２には、貼付部７９が設けられている。蓋部７２側に設けられた貼付部７９ｂは、蓋部７２の端部に配置されている。端末収納部７１側に設けられた貼付部７９ａは、蓋部７２が覆い被された際に、貼付部７９ｂが対向する位置に配置されている。貼付部７９ａ及び貼付部７９ｂは、例えば面ファスナーで着脱可能に構成されている。
【００３０】
蓋部７２のほぼ中央には、半透明部７３が設けられている。半透明部７３は、樹脂やフィルム状の透光性を有したスモーク部材により形成される。半透明部７３は、端末収納部７１に正面側から覆い被さると、端末収納部７１の上部に配置される。また、半透明部７３が配置される端末収納部７１の上部には、半透明部７３の周囲形状に倣う形状の切り欠き部７１５が形成されている。このため、携帯端末装置ＭＴを端末収納部７１に収納した場合、携帯端末装置ＭＴのレンズＭＴｌは、切り欠き部７１５に露出する。レンズＭＴｌは、半透明部７３によって覆われるので、携帯端末用ケース１の外部から視認し難くなる。このため、警備員の周囲にいる第三者は、携帯端末装置ＭＴのレンズＭＴｌが正面側に向けられていることを気付き難くい。これにより、携帯端末用ケース１は、警備員や監視センターからの遠隔操作で携帯端末装置ＭＴの撮像部で警備対象の現場を撮像しても、この現場にいる警備員以外の第三者に不快感を与えてしまうのを防止できる。
【００３１】
図１１に示すように、携帯端末用カバー７は、携帯端末装置ＭＴを露出する開口部７４を有している。開口部７４は、警備員側に向かって開口している。開口部７４は、端末収納部７１に携帯端末装置ＭＴを収納した際に、携帯端末装置ＭＴの表示画面ＭＴｄの全体が露出する広さに形成されている。これにより、携帯端末用カバー７は、携帯端末装置ＭＴを端末収納部７１に収納しても表示画面ＭＴｄに表示された情報を視認可能にすることができる。また、開口部７４は、携帯端末用カバー７を携帯端末用ケース１の端末収容部３に収容した際に、端末収容部３に形成された開口部３２と重なるようになっている。これにより、携帯端末用カバー７に収納された携帯端末装置ＭＴを端末収容部３に収容しても、警備員は、端末収容部３を開状態にすれば、表示画面ＭＴｄに表示された情報を参照することができる。
【００３２】
図９及び図１０に戻って、携帯端末用カバー７は、収納口７１０側に貫通穴７１４を有している。貫通穴７１４は、例えばカールコードを取り付けることが可能になっている。これにより、携帯端末用カバー７は、このカールコードを警備員のベストＢ以外の服に取り付けることにより、携帯端末用ケース１を用いなくても、この服のポケットなどに収納して持ち運びができるようになっている。
【００３３】
携帯端末用カバー７は、収納口７１０に対向する側面に形成された穴部７１１を有している。穴部７１１は、端末収納部７１の内部空間と、携帯端末用カバー７の周囲空間とを連通している。穴部７１１には、携帯端末装置ＭＴの電源端子（不図示）が露出している。これにより、携帯端末用カバー７は、端末収納部７１に収納した携帯端末装置ＭＴに電源ケーブル（不図示）を接続させることができる。
【００３４】
携帯端末用カバー７は、穴部７１１が設けられた側面の両側角部に形成された穴部７１２を有している。穴部７１２は、端末収納部７１の内部空間と、携帯端末用カバー７の周囲空間とを連通している。穴部７１２には、携帯端末装置ＭＴのマイクロフォン（不図示）が露出している。これにより、携帯端末用カバー７は、携帯端末装置ＭＴを収納した状態でも監視センターなどとの通話を可能にする。また、穴部７１２は、穴部７１１とともに、携帯端末装置ＭＴを端末収納部７１に挿入する際に端末収納部７１と携帯端末装置ＭＴにより囲まれる空間の空気を周囲空間に逃がすための空気穴としても機能する。
【００３５】
携帯端末用カバー７は、長手方向の両側面に形成された穴部７１３を有している。穴部７１３は、端末収納部７１の内部空間と、携帯端末用カバー７の周囲空間とを連通している。穴部７１３には、携帯端末装置ＭＴの音量調整などを行うための操作ボタン（不図示）が露出している。これにより、携帯端末用カバー７は、端末収納部７１に収納した携帯端末装置ＭＴを警備員に操作させることができる。
【００３６】
携帯端末用カバー７は、貫通穴７１４の下方に形成された貫通穴７１６を有している。貫通穴７１４は、携帯端末装置ＭＴを端末収納部７１に収納した際に、携帯端末装置ＭＴのスピーカ（不図示）が配置される場所に形成されている。これにより、貫通穴７１６にスピーカが露出するので、携帯端末用カバー７に携帯端末装置ＭＴを収納した状態でも監視センターなどとの通話が可能になる。
【００３７】
携帯端末用カバー７は、貫通穴７１４の隣に形成された貫通穴７１７を有している。貫通穴７１７は、携帯端末装置ＭＴを端末収納部７１に収納した際に、携帯端末装置ＭＴの正面レンズ及び表示画面ＭＴｄの明るさを調整するための照度センサが配置される場所に形成されている。また、貫通穴７１７は、携帯端末装置ＭＴを端末収納部７１に収納した際に、端末収容部３に形成された貫通穴３１４と重なる場所に形成されている。これにより、貫通穴７１７に正面レンズ及び照度センサが露出するので、携帯端末用カバー７に携帯端末装置ＭＴを収納した状態でも正面レンズを用いた撮影が可能になるとともに、表示画面ＭＴｄの明るさを環境照度に合わせた状態にすることができる。
【００３８】
図１１に示すように、携帯端末用カバー７の背面側であって収納口７１０に対向する側面近傍には、主電源マーク部７１８が設けられている。主電源マーク部７１８は、携帯端末装置ＭＴを端末収納部７１に収納した際に携帯端末装置ＭＴの主電源ボタン（不図示）などの操作ボタンが配置される位置に設けられている。このため、警備員は、主電源マーク部７１８を介して主電源ボタンなどの操作ボタンを操作することができる。
【００３９】
＜効果＞
以上説明したように、本実施形態による携帯端末用ケース１は、携帯端末装置ＭＴを露出させた状態で収容する端末収容部３と、端末収容部３の端部と接続されて端末収容部３を携帯端末装置ＭＴの使用者（例えば警備員）に保持する収容保持部５と、端末収容部３の端部と収容保持部５との接続部４を回転軸とする端末収容部３の回転範囲を規制する回転規制部８とを有している。これにより、使用者が手で携帯端末装置ＭＴを保持しなくても、携帯端末装置ＭＴに表示された情報を参照することが可能になる。さらに、端末収容部３を開状態としたときに、携帯端末装置ＭＴの表示画面ＭＴｄの角度を使用者が見易い角度に調整できる。
【００４０】
携帯端末用ケース１は、警備員側に携帯端末装置ＭＴの表示画面ＭＴｄを向け、警備員の腰から肩の間に装着される。携帯端末用ケース１は、下方となる警備員の腰側が警備員の身体側に固定されており、上方となる警備員の肩側が自由端になっている。携帯端末用ケース１における警備員の肩側の端部は、９０°以下の展開角度で開くようになっている。これにより、警備員は、携帯端末用ケース１の端末収容部３が展開された開状態であれば、下方向に顔を向けることにより、携帯端末装置ＭＴの表示画面に表示された情報を両手が自由な状態で参照できる。これにより、携帯端末用ケース１は、使用者の両手の自由を確保し作業効率の向上を図ることができる。
【００４１】
端末収容部３は、収容保持部５側に開口部を有している。これにより、使用者は、端末収容部３を開状態としたときに、携帯端末装置ＭＴの表示画面ＭＴｄに表示された情報を両手の自由を確保した状態で視認することができる。
【００４２】
収容保持部５は、使用者に取り付けられる取付部を有している。これにより、携帯端末用ケース１は、端末収容部３を閉状態及び開状態のいずれの状態であっても、使用者に取り付けられた状態を維持できる。
【００４３】
取付部５１は、使用者に取り付けられたときに、接続部４側の端末収容部３の端部が前方に迫り出して傾斜状態となるようにこの端部に対応する位置に土手形状部（すなわち貼付部５１ｂ）を有している。これにより、端末収容部３を開状態にしたときに、携帯端末装置ＭＴの表示画面ＭＴｄが水平よりも警備員側に向くように携帯端末用ケース１の姿勢が維持されて、警備員は表示画面ＭＴｄを視認し易くなる。
【００４４】
携帯端末用ケース１は、携帯端末装置ＭＴが露出する露出面Ｆ３１３と取付部５１が形成された面Ｆ５１１の裏面Ｆ５１３とを向い合わせ、収容保持部５に対して端末収容部３を閉じた閉状態に維持する閉状態維持部９ａ，９ｂを有している。これにより、使用者に支持されなくても、端末収容部３を閉状態及び開状態のいずれか一方の状態に維持できる。
【００４５】
携帯端末用ケース１は、携帯端末装置ＭＴを露出した状態で収納する端末収納部７１と、携帯端末装置ＭＴを端末収納部７１に収納した際に、携帯端末装置ＭＴに備えられた撮像部のレンズＭＴｌの配置位置に設けられた半透明部７３とを備える携帯端末用カバー７を有している。これにより、第三者にレンズＭＴｌを見え難くすることができるので、撮像部で警備対象の現場を撮影していても、第三者に不快感を与えるのを防止できる。
【００４６】
携帯端末用カバー７は、携帯端末装置ＭＴを露出する開口部７４を有している。これにより、携帯端末用ケース１は、携帯端末用カバー７に収納した状態の携帯端末装置ＭＴを端末収容部３に収容しても開口部７４及び端末収容部３に形成された開口部３２を介して、表示画面ＭＴｄに表示された情報を視認させることができる。
【００４７】
本発明は、上記実施形態に限らず種々の変形が可能である。
半透明部７３は、蓋部７２側ではなく、端末収納部７１の切欠き部７１５側に設けられていても、上記実施形態と同様の効果が得られる。
【００４８】
貼付部５１ｂは、胴体部Ｂ１と着脱可能であれば、面ファスナーに限られず、他の構成であってもよい。また、閉状態維持部９ａ，９ｂ及び貼付部７９ａ，７９ｂは、互いに着脱可能であれば、面ファスナーに限られない。例えば、貼付部５１ｂ、閉状態維持部９ａ，９ｂ及び貼付部７９ａ，７９ｂは、服に用いられるホックやスナップボタンであってもよい。また、貼付部５１ｂは、ベストＢに設けられたボタンに対応するボタンホールやベストＢに設けられたボタンホールに対応するボタンであってもよい。また、閉状態維持部９ａ，９ｂのいずれか一方及び貼付部７９ａ，７９ｂのいずれか一方が、ボタンであり、他方がこのボタンに対応するボタンホールであってもよい。貼付部５１ｂ、閉状態維持部９ａ，９ｂ及び貼付部７９ａ，７９ｂがこれらの構成を有していても、上記実施形態と同様の効果が得られる。
【００４９】
本発明の技術的範囲は、図示され記載された例示的な実施形態に限定されるものではなく、本発明が目的とするものと均等な効果をもたらす全ての実施形態をも含む。さらに、本発明の技術的範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００５０】
１  携帯端末用ケース
３  端末収容部
４  接続部
５  収容保持部
７  携帯端末用カバー
８  回転規制部
９ａ，９ｂ  閉状態維持部
３１  挿入部
３２  開口部
５１  取付部
５１ａ  引掛け部
５１ｂ  貼付部
７１  端末収納部
７２  蓋部
７３  半透明部
７４  開口部
７９，７９ａ，７９ｂ  貼付部
３１０  開放端
３１１，３１４，７１４，７１６，７１７  貫通穴
３１２  対向部
７１０  収納口
７１１，７１２，７１３  穴部
７１５  切欠き部
７１８  主電源マーク部
８１  折曲部
Ｂ  ベスト
Ｂ１  胴体部
Ｂ２  肩紐部
Ｆ３１３  露出面
Ｆ５１１  面
Ｆ５１１  裏面
ＭＴ   携帯端末装置
ＭＴｄ  表示画面
ＭＴｌ  背面レンズ
【図１】
0006577212.tif 000002
【図２】
0006577212.tif 000003
【図３】
0006577212.tif 000004
【図４】
0006577212.tif 000005
【図５】
0006577212.tif 000006
【図６】
0006577212.tif 000007
【図７】
0006577212.tif 000008
【図８】
0006577212.tif 000009
【図９】
0006577212.tif 000010
【図１０】
0006577212.tif 000011
【図１１】
0006577212.tif 000012